(57)【要約】【課題】軽量で騒音が少なく、冬でも除湿能力が高い吸湿体を用いた除湿乾燥機において、吸湿体が吸着した水分量と吸湿体から放出した水分量が同等となるような制御を行うことにより効率の良い除湿運転を行うことができる除湿乾燥機の提供を目的としている。【解決手段】除湿乾燥機１の本体に第一の風量検知手段１７と第一の温湿度検知手段１８および第二の風量検知手段１９と第二の温湿度検知手段２０を備え、検知した風量と温湿度から吸湿体に吸着した吸着水分量を演算する。さらに、第三の風量検知手段２４と第三の温湿度検知手段２５を備え、検知した風量と温湿度から熱交換器１５の排出口２２の水分量を貯水量検知手段２６に対して補正することで、放出水分量を演算する。演算した吸着水分量と放出水分量を比較し、その結果に基づいて回転式吸湿体用モータ５、加熱手段１４、再生ファン用モータ１３を制御する。【選択図】図１
2014184368.tif 000002
【特許請求の範囲】
【請求項１】
通過させた空気中の水分を吸着する吸湿領域と加熱した空気を通過させて含有する水分を放出する再生領域を有する回転式の吸湿体を備え、室内の空気を吸い込む吸込口と前記吸湿領域を通過した空気を吹出口へ送る除湿ファンから構成される除湿経路と、前記再生領域に流入する空気を加熱する加熱手段と前記加熱手段へ空気を送った空気を前記再生領域へ通過させる再生ファンと前記再生領域を通過した空気を冷却して結露させる熱交換器から構成される再生経路と、前記吸湿体を回転させる吸湿体回転手段から構成されるもので、前記除湿経路上の吸湿体の上流と下流にそれぞれ備えた第一の温湿度検知手段と第一の風量検知手段および、第二の温湿度検知手段と第二の風量検知手段と、前記第一の温湿度検知手段と第一の風量検知手段の検知した温湿度と風量から除湿経路上の吸湿体の上流を通過する水分量を演算する第一の通過水分量演算手段と、前記第二の温湿度検知手段と第二の風量検知手段の検知した温湿度と風量から除湿経路上の吸湿体の下流を通過する水分量を演算する第二の通過水分量演算手段と、前記吸湿体の上流の通過水分量と、前記吸湿体の下流の通過水分量の差を算出することにより、吸着体に吸着した吸着水分量を算出する吸着水分量演算手段と、前記熱交換器と排水タンクの間に備えた排水タンクに溜まった貯水量を検知する貯水量検知手段と、前記熱交換器の排出口に備えた第三の温湿度検知手段と第三の風量検知手段と、第三の温湿度検知手段と第三の風量検知手段の検知した温湿度と風量から前記熱交換器を通過した通過水分量を演算する第三の通過水分量演算手段と、前記貯水量に対して前記通過水分量を加えて実際に吸湿体から放出した放出水分量を算出する放出水分量演算手段と、前記吸着水分量と放出水分量を比較する水分量比較手段と、前記水分量比較手段の結果から前記吸着水分量と前記放出水分量が等しくなるように前記加熱手段の出力、前記吸湿体回転手段の回転速度、前記再生ファンの風量を調整する制御手段を設けた除湿乾燥機。
【請求項２】
前記水分量比較手段は、前記吸着水分量と前記放出水分量を比較し、二つの水分量に大きく差がある場合を「除湿不足状態」、近い場合を「理想状態」とし、前記制御手段は「除湿不足状態」の場合はヒーターの出力を上げ、吸湿体の回転速度を上げ、再生ファンの風量を下げる運転を行い、「理想状態」の場合は現状の運転を継続する請求項１記載の除湿乾燥機。
【発明の詳細な説明】
【技術分野】
【０００１】
本発明は、吸湿体を備えた除湿装置に関するものである。
【背景技術】
【０００２】
従来、この種の除湿乾燥機において、室内空気の温湿度と吸湿体に流れる風量から吸湿体に吸着した水分量を演算し、再生ヒーターの温度を調整することで消費電力を抑えることのできるものが知られている（例えば、特許文献１参照）。
【先行技術文献】
【特許文献】
【０００３】
【特許文献１】特開平１２−１０１１６９号公報
【発明の概要】
【発明が解決しようとする課題】
【０００４】
このような従来の除湿乾燥機においては、吸湿体に吸着した水分量で制御を行っているが、吸湿体から放出される水分量を考慮していないため、吸湿体から十分な水分量が放出されているにもかかわらずヒーターの出力を上げたり、吸湿体からの水分の放出が不足しているのにヒーターの出力を下げたりしてしまう場合がある。
【０００５】
そこで本発明は、上記従来の問題点を解決するものであり、吸着する水分量と放出する水分量が等しくなるような制御を行うことで効率の良い除湿運転を行う除湿乾燥機を提供することを目的とする。
【課題を解決するための手段】
【０００６】
そして、この目的を達成するために、本発明は、通過させた空気中の水分を吸着する吸湿領域と加熱した空気を通過させて含有する水分を放出する再生領域を有する回転式の吸湿体を備え、室内の空気を吸い込む吸込口と前記吸湿領域を通過した空気を吹出口へ送る除湿ファンから構成される除湿経路と、前記再生領域に流入する空気を加熱する加熱手段と前記加熱手段へ送った空気を前記再生領域へ通過させる再生ファンと前記再生領域を通過した空気を冷却して結露させる熱交換器から構成される再生経路と、前記吸湿体を回転させる吸湿体回転手段から構成されるもので、前記除湿経路上の吸湿体の上流と下流にそれぞれ備えた第一の温湿度検知手段と第一の風量検知手段および、第二の温湿度検知手段と第二の風量検知手段と、前記第一の温湿度検知手段と第一の風量検知手段の検知した温湿度と風量から除湿経路上の吸湿体の上流を通過する水分量を演算する第一の通過水分量演算手段と、前記第二の温湿度検知手段と第二の風量検知手段の検知した温湿度と風量から除湿経路上の吸湿体の下流を通過する水分量を演算する第二の通過水分量演算手段と、前記吸湿体の上流の通過水分量と、前記吸湿体の下流の通過水分量の差を算出することにより、吸着体に吸着した吸着水分量を算出する吸着水分量演算手段と、前記熱交換器と排水タンクの間に備えた排水タンクに溜まった貯水量を検知する貯水量検知手段と、前記熱交換器の排出口に備えた第三の温湿度検知手段と第三の風量検知手段と、第三の温湿度検知手段と第三の風量検知手段の検知した温湿度と風量から前記熱交換器を通過した通過水分量を演算する第三の通過水分量演算手段と、前記貯水量に対して前記通過水分量を加えて実際に吸湿体から放出した放出水分量を算出する放出水分量演算手段と、前記吸着水分量と放出水分量を比較する水分量比較手段と、前記水分量比較手段の結果から前記吸着水分量と前記放出水分量が等しくなるように前記加熱手段の出力、前記吸湿体回転手段の回転速度、前記再生ファンの風量を調整する制御手段を設けたものであり、これにより所期の目的を達成するものである。
【発明の効果】
【０００７】
本発明によれば、通過させた空気中の水分を吸着する吸湿領域と加熱した空気を通過させて含有する水分を放出する再生領域を有する回転式の吸湿体を備え、室内の空気を吸い込む吸込口と前記吸湿領域を通過した空気を吹出口へ送る除湿ファンから構成される除湿経路と、前記再生領域に流入する空気を加熱する加熱手段と前記加熱手段へ送った空気を前記再生領域へ通過させる再生ファンと前記再生領域を通過した空気を冷却して結露させる熱交換器から構成される再生経路と、前記吸湿体を回転させる吸湿体回転手段から構成されるもので、前記除湿経路上の吸湿体の上流と下流にそれぞれ備えた第一の温湿度検知手段と第一の風量検知手段および、第二の温湿度検知手段と第二の風量検知手段と、前記第一の温湿度検知手段と第一の風量検知手段の検知した温湿度と風量から除湿経路上の吸湿体の上流を通過する水分量を演算する第一の通過水分量演算手段と、前記第二の温湿度検知手段と第二の風量検知手段の検知した温湿度と風量から除湿経路上の吸湿体の下流を通過する水分量を演算する第二の通過水分量演算手段と、前記吸湿体の上流の通過水分量と、前記吸湿体の下流の通過水分量の差を算出することにより、吸着体に吸着した吸着水分量を算出する吸着水分量演算手段と、前記熱交換器と排水タンクの間に備えた排水タンクに溜まった貯水量を検知する貯水量検知手段と、前記熱交換器の排出口に備えた第三の温湿度検知手段と第三の風量検知手段と、第三の温湿度検知手段と第三の風量検知手段の検知した温湿度と風量から前記熱交換器を通過した通過水分量を演算する第三の通過水分量演算手段と、前記貯水量に対して前記通過水分量を加えて実際に吸湿体から放出した放出水分量を算出する放出水分量演算手段と、前記吸着水分量と放出水分量を比較する水分量比較手段と、前記水分量比較手段の結果から前記吸着水分量と前記放出水分量が等しくなるように前記加熱手段の出力、前記吸湿体回転手段の回転速度、前記再生ファンの風量を調整する制御手段を設けたものであり、吸着水分量演算手段は、吸湿体の下流の通過水分量の差を算出することにより、吸着体に吸着した吸着水分量を算出し、放出水分量演算手段は、貯水量検知手段によって検知した排水タンクの貯水量に対して第三の温湿度検知手段と第三の風量検知手段から検知した温湿度と風量から第三の通過水分量演算手段によって演算された熱交換器の排出口の通過水分量を加えて放出水分量を算出し、水分量比較手段は、前記吸着水分量と前記放出水分量を比較し、比較結果に応じた信号を制御手段に送ることとなり、制御手段は、前記水分量比較手段から受け取った信号から前記吸着水分量と前記放出水分量が等しくなるように前記加熱手段の出力、前記吸湿体回転手段の回転速度、前記再生ファンの風量を調整することができるので、効率の良い除湿運転を行う除湿乾燥機を提供することができる。
【図面の簡単な説明】
【０００８】
【図１】本発明の実施の形態１の除湿乾燥機の概要を示す図
【図２】本発明の実施の形態１の貯水量検知手段の動作を示すブロック図
【図３】本発明の実施の形態１の制御演算部の動作を示すブロック図
【図４】温湿度−空気中の水分量を示す図
【発明を実施するための形態】
【０００９】
本発明の請求項１記載の除湿乾燥機は、通過させた空気中の水分を吸着する吸湿領域と加熱した空気を通過させて含有する水分を放出する再生領域を有する回転式の吸湿体を備え、室内の空気を吸い込む吸込口と前記吸湿領域を通過した空気を吹出口へ送る除湿ファンから構成される除湿経路と、前記再生領域に流入する空気を加熱する加熱手段と前記加熱手段へ空気を送った空気を前記再生領域へ通過させる再生ファンと前記再生領域を通過した空気を冷却して結露させる熱交換器から構成される再生経路と、前記吸湿体を回転させる吸湿体回転手段から構成されるもので、前記除湿経路上の吸湿体の上流と下流にそれぞれ備えた第一の温湿度検知手段と第一の風量検知手段および、第二の温湿度検知手段と第二の風量検知手段と、前記第一の温湿度検知手段と第一の風量検知手段の検知した温湿度と風量から除湿経路上の吸湿体の上流を通過する水分量を演算する第一の通過水分量演算手段と、前記第二の温湿度検知手段と第二の風量検知手段の検知した温湿度と風量から除湿経路上の吸湿体の下流を通過する水分量を演算する第二の通過水分量演算手段と、前記吸湿体の上流の通過水分量と、前記吸湿体の下流の通過水分量の差を算出することにより、吸着体に吸着した吸着水分量を算出する吸着水分量演算手段と、前記熱交換器と排水タンクの間に備えた排水タンクに溜まった貯水量を検知する貯水量検知手段と、前記熱交換器の排出口に備えた第三の温湿度検知手段と第三の風量検知手段と、第三の温湿度検知手段と第三の風量検知手段の検知した温湿度と風量から前記熱交換器を通過した通過水分量を演算する第三の通過水分量演算手段と、前記貯水量に対して前記通過水分量を加えて実際に吸湿体から放出した放出水分量を算出する放出水分量演算手段と、前記吸着水分量と放出水分量を比較する水分量比較手段と、前記水分量比較手段の結果から前記吸着水分量と前記放出水分量が等しくなるように前記加熱手段の出力、前記吸湿体回転手段の回転速度、前記再生ファンの風量を調整する制御手段を設けたものである。
【００１０】
これにより、吸着水分量演算手段は、吸湿体の上流の通過水分量と吸湿体の下流の通過水分量の差を算出することにより吸着体に吸着した吸着水分量を算出し、放出水分量演算手段は、貯水量検知手段によって検知した排水タンクの貯水量に対して第三の温湿度検知手段と第三の風量検知手段から検知した温湿度と風量から第三の通過水分量演算手段によって演算された熱交換器の排出口の通過水分量を加えて放出水分量を算出し、水分量比較手段は、前記吸着水分量と前記放出水分量を比較し、比較結果に応じた信号を制御手段に送ることとなるので、
制御手段は、前記水分量比較手段から受け取った信号から前記吸着水分量と前記放出水分量が等しくなるように前記加熱手段の出力、前記吸湿体回転手段の回転速度、前記再生ファンの風量を調整することができるので、効率の良い除湿運転を行う除湿乾燥機を実現することができる。
【００１１】
また、請求項２記載の除湿装置は、前記水分量比較手段は、前記吸着水分量と放出水分量を比較し、二つの水分量に大きく差がある場合を「除湿不足状態」、近い場合を「理想状態」とし、前記制御手段は「除湿不足状態」の場合は加熱手段の出力を上げ、吸湿体回転手段の回転速度を上げ、再生ファンの風量を下げる運転を行い、「理想状態」の場合は現状の運転を継続する。これにより、前記吸着水分量と前記放出水分量が等しくなるように制御をすることができ効率の良い除湿運転を行う除湿乾燥機を実現することができる。
【００１２】
以下本実施の形態について図面を参照しながら説明する。
【００１３】
（実施の形態１）
実施の形態１の構成について図を用いて説明する。
【００１４】
図１は、本発明実施の形態における除湿乾燥機の構成を表す図である。
【００１５】
図１に示すように、除湿乾燥機１は、室内に開口し空気を吸込む吸込口２と、吸込んだ空気を再び室内へ吹出す吹出口３を備えている。
【００１６】
除湿乾燥機１の内部には、吸込んだ空気の水分を吸着する回転式吸湿体４とそれを回転させる吸湿体回転手段としての回転式吸湿体用モータ５を備えている。
【００１７】
回転式吸湿体４は、通過した空気の水分を吸着する吸湿領域６と、空気を通過させて吸着した水分を放出させる再生領域７を備えている。
【００１８】
また、除湿乾燥機１の内部には、吸込口２から吸込んだ空気を吸湿領域６へ通過させて吹出口３から吹出す除湿経路８と、再生領域７に空気を通過させて回転式吸湿体４に吸着させた水分を放出させる再生経路９とを備えている。
【００１９】
そして、除湿経路８は、室内の空気を吸込む吸込口２と、通過した空気の水分を吸着する吸湿領域６と、除湿した空気を吹出口３へ送る除湿ファン１０と、それを動かす除湿ファン用モータ１１から構成する。また、再生経路９は、再生領域７に流入する空気を送る再生ファン１２と、それを動かす再生ファン用モータ１３と、通過した空気を加熱する加熱手段１４と、熱した空気を冷却して結露させる熱交換器１５と、結露水を溜める排水タンク１６から構成する。
【００２０】
さらに、除湿経路８には、前記吸湿領域６での回転式吸湿体４の上流に第一の風量検知手段１７と第一の温湿度検知手段１８を設け、下流に第二の風量検知手段１９と第二の温湿度検知手段２０を設ける。
【００２１】
また、再生経路９の熱交換器１５は、冷却する空気の流入口２１と排出口２２と結露させた排出した水摘出する排水口２３を備え、排出口２２には第三の風量検知手段２４と第三の温湿度検知手段２５を設ける。熱交換器１５の排水口２３は排水タンク１６に接続されている。そして、排水口２３と排水タンク１６の間に水の滴下量を検出する貯水量検知手段２６を設け、貯水量検知手段２６の検知信号により、水分量の演算、比較、制御を行う制御演算部２７を設ける。
【００２２】
図２は、本発明実施の形態における貯水量検知手段２６の構成を表すブロック図である。
【００２３】
貯水量検知手段２６は、熱交換器１５と排水タンク１６の間に水滴検知手段２８を設け、計数手段３０によって水滴が通過した回数をカウントし、時間計測手段２９と貯水量演算手段３１により単位時間当たりに溜まった水量を検知するものである。
【００２４】
図３は、本発明実施の形態における制御演算部２７の構成を表すブロック図である。
【００２５】
制御演算部２７は、第一の通過水分量演算手段３２と、第二の通過水分量演算手段３５と、吸着水分量演算手段３８と、第三の通過水分量演算手段３９と、放出水分量演算手段４２と、水分量比較手段４３と、制御手段４６で構成されている。
【００２６】
第一の通過水分量演算手段３２は、第一の温湿度検知手段１８と第一の風量検知手段１７から検知した温湿度と風量から回転式吸湿体４の上流の除湿経路８の通過水分量を演算するものであり、検知した温湿度から図４のグラフに従って空気中の水分量を演算する第一の水蒸気量演算手段３３と、前記空気中の水分量と検知した風量によって求めた単位時間当たりの空気流入量を掛け算する第一の流入水分量演算手段３４から構成されるものである。
【００２７】
また、第二の通過水分量演算手段３５は、第二の温湿度検知手段２０と第二の風量検知手段１９から検知した温湿度と風量から回転式吸湿体４の下流の除湿経路８の通過水分量を演算するものであり、前記第一の通過水分量演算手段３２と同様の構成である。
【００２８】
また、第三の通過水分量演算手段３９は、熱交換器１５の排出口２２に備えた第三の温湿度検知手段２５と第三の風量検知手段２４の検知した温湿度と風量から熱交換器１５を通過した通過水分量を演算するものであり、前記第一の通過水分量演算手段３２と同様の構成である。
【００２９】
また、吸着水分量演算手段３８は、回転式吸湿体４の上流の通過水分量と、回転式吸湿体４の下流の通過水分量の差を算出することにより、吸着体に吸着した吸着水分量を算出するものである。
【００３０】
また、放出水分量演算手段４２は、水の滴下量を検出する貯水量検知手段２６の検知した水の滴下量に対して前記通過水分量を加えて実際に回転式吸湿体４から放出した放出水分量を算出するものである。
【００３１】
また、水分量比較手段４３は、吸着水分量演算手段３８の算出した吸着水分量と放出水分量演算手段４２の算出した放出水分量を比較するものであり、放出水分量と吸着水分量の割合を演算する除湿効率演算手段４４と、前記除湿効率演算手段４４の結果から除湿状況を判定し制御手段４６に信号を送る判定手段４５から構成されるものである。
【００３２】
そして、制御手段４６は、水分量比較手段４３から受け取った信号から前記吸着水分量と前記放出水分量が等しくなるように加熱手段１４の出力、回転式吸湿体４の回転速度、再生ファン１２の風量を調整するものである。
【００３３】
上記構成により、除湿乾燥機１が運転を開始すると、除湿ファン１０の動作により吸込口２から室内の空気が吸込まれ除湿経路８を通って、回転式吸湿体４の吸湿領域６を通過して吹出口３から再び室内へ吹出されることとなる。
【００３４】
このとき、回転式吸湿体４を通過した空気は吸湿領域６で、水分が吸収されることとなる。
【００３５】
第一の風量検知手段１７と第一の温湿度検知手段１８は、回転式吸湿体４の上流側に配置されていて、検知した風量と温湿度は、制御演算部２７の第一の通過水分量演算手段３２へ入力される。そして、第一の通過水分量演算手段３２は、回転式吸湿体４の上流の水分量を演算することとなる。
【００３６】
すなわち、第一の通過水分量演算手段３２は、第一の風量検知手段１７から検知した風量によって求めた単位時間当たりの空気流入量と、第一の温湿度検知手段１８から検知した温湿度から第一の水蒸気量演算手段３３によって空気中の水分量を求め、第一の流入水分量演算手段３４によって前記空気中の水分量と前記単位時間当たりの空気流入量を掛け算して回転式吸湿体４の上流の水分量が演算できる。
【００３７】
また、回転式吸湿体４の下流側に配置されている第二の風量検知手段１９と第二の温湿度検知手段２０から検知した風量と温湿度は、第二の通過水分量演算手段３５へ入力される。
【００３８】
前記第一の通過水分量演算手段３２と同様にして、第二の通過水分量演算手段３５は、第二の風量検知手段１９と第二の温湿度検知手段２０から検知した風量と温湿度から回転式吸湿体４の下流の水分量が演算できる。
【００３９】
そして、吸着水分量演算手段３８は、吸湿体の上流と下流の水分量の差を算出することで吸湿水分量を求めることとなる。
【００４０】
また、除湿乾燥機１が運転により、再生ファン１２が動作し、再生経路９を空気が循環することになる。
【００４１】
再生経路９では、加熱手段１４によって、回転式吸湿体４の上流で空気が加熱され、再生領域７を通過することとなるので、回転式吸湿体４に吸着した水分を通過する空気へ放出させることができる。次に、再生領域７を通過した空気は、熱交換器１５の流入口２１から熱交換器１５内に流れ込み排出口２２から排出されることとなる。この空気は、熱交換器１５内では、冷却され含有する水分は、結露して排水口２３から排出されることとなる。
【００４２】
熱交換器１５の排出口２２では、第三の温湿度検知手段２５と第三の風量検知手段２４から検知した風量と温湿度は、第三の通過水分量演算手段３９に入力される。また、空気の除湿が進み熱交換器１５に結露が発生すると貯水量検知手段２６は、滴下する水分を水滴検知手段２８によって検知し、水滴検知した回数を計数手段３０によって数える。前記計数手段３０は、時間計測手段２９から検知開始信号が送られたときに計測を開始し、単位時間後に前記時間計測手段２９から検知終了信号が送れられたときに計測を終了する。前記計数手段３０の結果から貯水量演算手段３１によって単位時間当たりの貯水量を演算する。
【００４３】
そして、放出水分量演算手段４２によって、前記貯水量に対して第三の通過水分量演算手段３９によって熱交換器の排出口の水分量を加算することとなり回転式吸湿体４の再生領域７から放出される放出水分量を求めることができる。
【００４４】
水分量比較手段４３は、前記吸着水分量と前記放出水分量を比較し、比較結果に基づいた信号を制御手段４６に送るものであり、除湿効率演算手段４４によって前記吸着水分量と前記放出水分量の比を演算し、その比が基準値を下回る場合は「除湿不足状態」、基準値以上の場合は「理想状態」と判定し、制御手段４６に信号を送る判定手段４５から構成される。制御手段４６は、前記水分量比較手段４３から受け取った信号に基づき、前記吸着水分量と前記放出水分量が等しくなるように回転式吸湿体用モータ５、加熱手段１４、再生ファン用モータ１３の出力を調整する。前記水分量比較手段４３から「除湿不足状態」の信号を受け取った場合は、回転式吸湿体用モータ５の回転速度を上げ、加熱手段の出力を上げ、再生ファンの風量を下げる制御を行い、「理想状態」の信号を受け取った場合は、現状の運転を継続する。
【００４５】
なお、放出水分量を求めるときに熱交換器１５の流入口２１の水分量を求めないのは、加熱手段１４が熱交換器１５の流入口２１に近く、正しい温湿度が得られないためである。
【００４６】
以上のように本実施の形態では、吸着水分量演算手段３８は、吸湿体の上流の通過水分量と吸湿体の下流の通過水分量の差を算出することにより吸着体に吸着した吸着水分量を算出し、放出水分量演算手段４２は、貯水量検知手段２６によって検知した排水タンク１６の貯水量に対して第三の温湿度検知手段２５と第三の風量検知手段２４から検知した温湿度と風量から第三の通過水分量演算手段３９によって演算された熱交換器１５の排出口２２の通過水分量を加えて放出水分量を算出し、水分量比較手段４３は、前記吸着水分量と前記放出水分量を比較し、比較結果に応じた信号を制御手段４６に送ることとなるので、制御手段４６は、水分量比較手段４３から受け取った信号から前記吸着水分量と前記放出水分量が等しくなるように加熱手段１４の出力、吸湿体回転手段として備えた回転式吸湿体用モータ５の回転速度、再生ファン１２の風量を調整することができるので、効率の良い除湿運転を行う除湿乾燥機を実現することができる。
【産業上の利用可能性】
【００４７】
本発明にかかる除湿装置は、一般家電用の衣類等の乾燥制御に適用できる。
【符号の説明】
【００４８】
１  除湿乾燥機
２  吸込口
３  吹出口
４  回転式吸湿体
５  回転式吸湿体用モータ
６  吸湿領域
７  再生領域
８  除湿経路
９  再生経路
１０  除湿ファン
１１  除湿ファン用モータ
１２  再生ファン
１３  再生ファン用モータ
１４  加熱手段
１５  熱交換器
１６  排水タンク
１７  第一の風量検知手段
１８  第一の温湿度検知手段
１９  第二の風量検知手段
２０  第二の温湿度検知手段
２１  流入口
２２  排出口
２３  排水口
２４  第三の風量検知手段
２５  第三の温湿度検知手段
２６  貯水量検知手段
２７  制御演算部
２８  水滴検知手段
２９  時間計測手段
３０  計数手段
３１  貯水量演算手段
３２  第一の通過水分量演算手段
３３  第一の水蒸気量演算手段
３４  第一の流入水分量演算手段
３５  第二の通過水分量演算手段
３６  第二の水蒸気量演算手段
３７  第二の流入水分量演算手段
３８  吸着水分量演算手段
３９  第三の通過水分量演算手段
４０  第三の水蒸気量演算手段
４１  第三の流入水分量演算手段
４２  放出水分量演算手段
４３  水分量比較手段
４４  除湿効率演算手段
４５  判定手段
４６  制御手段
【図１】
2014184368.tif 000003
【図２】
2014184368.tif 000004
【図３】
2014184368.tif 000005
【図４】
2014184368.tif 000006